(57)【要約】【課題】  位置情報を含むディジタル放送信号がディジタル放送受信機によって受信されるとき、その位置情報を使用するシステム及びその方法を提供する。【解決手段】  ディジタル放送システムは、使用者操作信号を受信する使用者入力部と、位置情報が含まれたディジタル放送信号を受信するディジタル放送信号受信部と、ディジタル放送信号に含まれた位置情報を検出する位置情報検出部と、受信されたディジタル放送信号を出力する出力部とから構成される。位置情報は、使用者に多様な位置関連サービスを提供するのに使用される。使用者が放送画面で紹介される場所の中から行きたい特定の場所の経路案内を要請すると、使用者は、その特定の場所への経路案内を受信することができる。【選択図】  図７
2006050556.tif 000002
【特許請求の範囲】
【請求項１】
ディジタル放送システムであって、
使用者操作信号を受信する使用者入力部と、
位置情報が含まれたディジタル放送信号を受信するディジタル放送信号受信部と、
前記ディジタル放送信号に含まれた位置情報を検出する位置情報検出部と、
前記受信されたディジタル放送信号を出力する出力部と
から構成されることを特徴とするディジタル放送システム。
【請求項２】
前記位置情報は、ディジタルデータ放送に関連した所定の位置に対応する名称及び位置座標を含むことを特徴とする請求項１記載のディジタル放送システム。
【請求項３】
前記ディジタル放送信号受信部は、前記位置情報が前記ディジタル放送信号に含まれていることを知らせる標識を含む前記ディジタル放送信号を出力することを特徴とする請求項１記載のディジタル放送システム。
【請求項４】
前記位置情報検出部は、前記ディジタル放送信号に含まれた位置情報を検出して記憶することを特徴とする請求項１記載のディジタル放送システム。
【請求項５】
前記位置情報検出部が検出した位置情報を別途の外部機器へ送信する外部機器インターフェース部をさらに備えることを特徴とする請求項１記載のディジタル放送システム。
【請求項６】
前記位置情報検出部が検出した前記位置情報を記憶する記憶部をさらに備えることを特徴とする請求項１記載のディジタル放送システム。
【請求項７】
ディジタル放送を通して位置情報を受信する方法であって、
位置情報が含まれたディジタル放送信号を受信するステップと、
前記位置情報が前記ディジタル放送信号に含まれていることを検出するステップと、
前記ディジタル放送信号から前記位置情報を検出するステップと
から構成されることを特徴とする方法。
【請求項８】
前記検出された位置情報を別途の外部機器へ送信するステップをさらに備えることを特徴とする請求項７記載の方法。
【請求項９】
前記位置情報は、所定の位置に対応する名称及び位置座標を含むことを特徴とする請求項７記載の方法。
【請求項１０】
前記位置情報が前記ディジタル放送信号に含まれていることを検出するステップは、前記位置情報が前記ディジタル放送信号に含まれていることを知らせる標識を検出することを特徴とする請求項７記載の方法。
【請求項１１】
前記ディジタル放送信号に含まれた位置情報を記憶するステップをさらに備えることを特徴とする請求項７記載の方法。
【請求項１２】
ディジタル放送受信機であって、
使用者操作信号を受信する使用者入力部と、
位置情報が含まれたディジタル放送信号を受信するデータ受信部と、
前記位置情報を前記外部機器へ送信する外部機器インターフェース部と
から構成されることを特徴とするディジタル放送受信機。
【請求項１３】
前記位置情報は、所定の位置に対応する名称及び位置座標を含むことを特徴とする請求項１２記載のディジタル放送受信機。
【請求項１４】
前記受信された位置情報を記憶する記憶部をさらに備えることを特徴とする請求項１２記載のディジタル放送受信機。
【請求項１５】
上記位置情報が上記ディジタル放送信号に含まれていることを知らせる標識を前記ディジタル放送信号と共に出力する表示部をさらに備えることを特徴とする請求項１２記載のディジタル放送受信機。
【請求項１６】
前記外部機器は、経路案内サービスを提供するナビゲーション装置を含むことを特徴とする請求項１２記載のディジタル放送受信機。
【請求項１７】
前記ディジタル放送受信機は、前記ナビゲーション装置に着脱可能に結合されることができるように構成されることを特徴とする請求項１６記載のディジタル放送受信機。
【請求項１８】
経路案内機能を遂行するナビゲーション端末機であって、
使用者操作信号を受信する使用者入力部と、
前記ナビゲーション端末機の現在の位置を検出する現在位置検出部と、
位置情報が含まれたディジタル放送信号を受信する外部のディジタル放送受信機から前記位置情報を受信する外部機器インターフェース部と、
前記位置情報に基づいて経路計算を遂行する経路決定部と
から構成されることを特徴とするナビゲーション端末機。
【請求項１９】
前記位置情報は、所定の位置に対応する名称及び位置座標を含むことを特徴とする請求項１８記載のナビゲーション端末機。
【請求項２０】
前記受信された位置情報を記憶するメモリをさらに備えることを特徴とする請求項１８記載のナビゲーション端末機。
【請求項２１】
前記経路決定部で算出された経路をディスプレイする表示部をさらに備えることを特徴とする請求項１８記載のナビゲーション端末機。
【請求項２２】
前記受信された位置情報及び前記ナビゲーション端末機の現在の位置を別途の外部経路計算サーバーへ送信し、前記外部経路計算サーバーによって算出された前記現在の位置から前記位置情報に対応する目的地への経路情報を前記外部経路計算サーバーから受信する通信モジュールをさらに備えることを特徴とする請求項１８記載のナビゲーション端末機。
【請求項２３】
前記ナビゲーション端末機の現在の位置から前記位置情報に対応する目的地への経路案内は、前記通信モジュールを通して受信された経路情報を使用して遂行されることを特徴とする請求項２２記載のナビゲーション端末機。
【発明の詳細な説明】
【技術分野】
【０００１】
本発明は、ディジタル放送システム（DIGITAL BROADCASTING SYSTEM）に関し、特に、位置情報を含むディジタル放送信号を用いるディジタル放送システム及びその方法に関する。
【背景技術】
【０００２】
通常、ディジタル放送とは、従来のアナログ放送に代わって高画質、高音質、そして、さらに向上したサービスを使用者に提供する放送サービスを意味する。
【０００３】
最近では、ディジタル放送技術及び移動通信技術の発達とともに、移動中にもディジタル放送を視聴することができるようにするためのディジタル放送サービスに関する関心が高まっている。特に、移動通信端末機を使用するディジタルマルチメディア放送（Digital Multimedia Broadcasting；以下、‘ＤＭＢ’と称する）サービスに関心が高まっている。ＤＭＢサービスは、無指向性受信アンテナを装着した個人携帯用受信機又は車両用受信機によって使用者が移動中にも多様なマルチメディア放送を複数のチャンネルを介して視聴することができるようにする。
【０００４】
図１は、ディジタル放送サービスを提供するための従来のシステムを示す。図１を参照すると、上記システムは、データ送信センター１０と、衛星２０と、移動通信端末機３０と車両用受信機４０と家庭用受信機５０とのような受信装置とを含む。データ送信センター１０は、ディジタル−マルチメディア−放送データ（例えば、画像、音声、及びデータ信号）を圧縮して変調した後、衛星２０へ送信する。衛星２０は、データ送信センター１０から送信された信号を受信し、増幅して周波数変換した後、上記信号を地上に再送信する。
【０００５】
受信装置３０、４０、及び５０は、衛星２０から再送信された信号を受信して復調した後、圧縮されたデータを解凍し、原信号にそれぞれ変換して出力する。
【０００６】
上記のようなディジタル放送サービス技術の急速な発展によって、使用者は、高速で移動する移動体の中でもノイズの無いきれいなディジタル放送を視聴することができる。
【０００７】
付加的に、使用者が、ディジタル放送の中に行きたい場所が放送されたとき、又は、該当場所（例えばコマーシャルで宣伝された店）に関する情報を得たい場合、使用者は、該当場所の位置に関する情報を得るための何らかの方法を見つけなければならない。
【発明の開示】
【発明が解決しようとする課題】
【０００８】
上記背景に鑑みて、本発明の目的は、位置情報を含むディジタル放送信号がディジタル放送受信機によって受信されるとき、その位置情報を使用するシステム及びその方法を提供することにある。
【０００９】
本発明の他の目的は、使用者がディジタル放送受信機を通して視聴するディジタル放送の中に行きたい場所が放送されたとき、その場所までの最適の経路を提供するか、又は、その場所に関する位置情報を記憶した後、追ってその情報を用いることができるようにするシステム及びその方法を提供することにある。
【００１０】
また、本発明の他の目的は、使用者がディジタル放送受信機を通して視聴するディジタル放送の中で放送された場所に関する詳細情報を知りたい場合、ディジタル放送信号に含まれた位置情報を使用して確認することができるようにするシステム及びその方法を提供することにある。
【課題を解決するための手段】
【００１１】
このような目的を達成するために、本発明の１つの特徴によると、ディジタル放送システムであって、使用者操作信号を受信する使用者入力部と、位置情報が含まれたディジタル放送信号を受信するディジタル放送信号受信部と、上記ディジタル放送信号に含まれた位置情報を検出する位置情報検出部と、上記受信されたディジタル放送信号を出力する出力部とから構成されることを特徴とする。
【００１２】
本発明の他の１つの特徴によると、ディジタル放送を通して位置情報を受信する方法であって、位置情報が含まれたディジタル放送信号を受信するステップと、上記位置情報が上記ディジタル放送信号に含まれていることを検出するステップと、上記ディジタル放送信号から上記位置情報を検出するステップとから構成されることを特徴とする。
【００１３】
本発明のさらなる１つの特徴によると、ディジタル放送受信機であって、使用者操作信号を受信する使用者入力部と、位置情報が含まれたディジタル放送信号を受信するデータ受信部と、上記位置情報を上記外部機器へ送信する外部機器インターフェース部とから構成されることを特徴とする。
【００１４】
本発明のもう一つの特徴によると、経路案内機能を遂行するナビゲーション端末機であって、使用者操作信号を受信する使用者入力部と、上記ナビゲーション端末機の現在の位置を検出する現在位置検出部と、位置情報が含まれたディジタル放送信号を受信する外部のディジタル放送受信機から上記位置情報を受信する外部機器インターフェース部と、上記位置情報に基づいて経路計算を遂行する経路決定部とから構成されることを特徴とする。
【発明の効果】
【００１５】
本発明は、位置情報を含むディジタル放送信号がディジタル放送受信機によって受信されるとき、その位置情報を用いるシステム及びその方法を提供することによって、使用者が、放送画面で紹介される場所の中から行きたい特定の場所の経路案内を要請すると、その特定の場所への経路案内のような多様且つ便利なな位置関連サービスを容易に受信することができる。
【００１６】
また、使用者が経路案内を要請した特定の場所の位置情報を記憶し、後でその情報を用いることができるので、使用者が特定の場所へ行きたい度に、上記特定の場所への経路案内を受信することができる。
【００１７】
さらに、使用者がディジタル放送受信機を通してディジタル放送を視聴する中に行きたい場所が現れ、その場所に関する詳細情報を知りたい場合、ディジタル放送信号に含まれた位置情報を用いて上記特定の場所の詳細情報を確認することができる。
【発明を実施するための最良の形態】
【００１８】
以下、本発明による好適な一実施形態について添付した図面を参照して詳細に説明する。下記の説明において、本発明の要旨のみを明瞭にする目的で、関連した公知の機能又は構成に関する具体的な説明は省略する。
【００１９】
図２は、本発明の実施形態によるディジタル放送システムを示すブロック図である。図２に示すように、本発明の実施形態によるディジタル放送システム１０００は、使用者入力部１１００、システム制御部１２００、ディジタル放送信号受信部１３００、位置情報検出部１４００、外部機器インターフェース部１５００、出力部１６００、及び記憶部１７００を含む。
【００２０】
使用者入力部１１００は、キー入力信号又は音声入力信号のような使用者操作信号を受信してシステム制御部１２００へ送信する。システム制御部１２００は、ディジタル放送システム１０００の全般的な動作を制御する。ディジタル放送信号受信部１３００は、位置情報が含まれたディジタル放送信号を受信し、これを出力部１６００に出力する。上記位置情報は、所定の位置に対応する名称（すなわち、Point Of Interest（ＰＯＩ））、所定の位置に関連した多様な情報、上記情報を提供するデータベースへの接続のための情報、及びそれについての位置座標を含むことが望ましい。このとき、上記位置情報は、ディジタル放送データ信号に必ず関連している。
【００２１】
例えば、ディジタル放送を通して映画を放送する場合、各場面に関連した位置情報を付加的に提供する。このような位置情報は、ディジタル放送を製作して放送するサービスプロバイダーによって選択的に提供されることができる。
【００２２】
ディジタル放送信号受信部１３００は、上記ディジタル放送信号に上記位置情報が含まれていることを知らせる標識（Indicator）を上記ディジタル放送信号と共に出力部１５００を通して出力する。使用者入力部１１００を通して上記位置情報に対する要請を受信すると、位置情報検出部１４００は、ディジタル放送信号受信部１３００から上記位置情報を検出する。
【００２３】
外部機器インターフェース部１５００は、ディジタル放送システム１０００に接続することができる外部機器（図示せず）と通信するための装置であって、位置情報検出部１４００が検出した位置情報を別途の外部機器へ送信する。上記外部機器は、移動通信端末機、無線インターネット装置、又はナビゲーション装置を含む。外部機器インターフェース部１５００が、上記外部機器から上記位置情報に対する要請を受信すると、システム制御部１２００の制御によって上記位置情報が上記外部機器へ提供される。
【００２４】
出力部１５００は、ディジタル放送システム１０００で発生した各種の表示データを出力するためにＬＣＤ（Liquid Crystal Display）で構成されても良い。システム制御部１２００の制御によって、出力部１５００は、ディジタル放送信号に位置情報が含まれていることを知らせる標識をディジタル放送データと共に表示する。
【００２５】
記憶部１６００は、上記検出された位置情報をシステム制御部１２００の制御によって記憶する。上記位置情報を記憶部１６００に記憶する代わりに、上記位置情報を使用者要請によってディジタル放送データから直接検出することもできる。しかしながら、１つのディジタル放送プログラムで複数の場所が紹介されると、使用者がこれを区分して所望の場所を選択することは難しい。従って、記憶部１６００は、後の使用者の要請に応じて利用できるように、複数の場所に関する位置情報を順に記憶しても良い。
【００２６】
図２を参照して上述したように、ディジタル放送信号受信部１３００から位置情報検出部１４００が検出した位置情報は、外部機器インターフェース部１５００を通して外部機器へ送信されることができるが、本発明の実施形態では、ディジタル放送システム１０００に接続されることができる多様な外部機器のうち、上記位置情報を一番効率的に活用可能なナビゲーション装置（例えば、ナビゲーション端末機）を例に挙げて説明する。
【００２７】
ディジタル放送システム１０００は、ディジタル放送受信機で実現されても良い。、上記ディジタル放送受信機に接続されたナビゲーション端末機は、１つの装置に搭載（例えば、一体型）されても良く、又、それぞれ独立したシステムの構成でも良い。このとき、使用者入力部１１００は、上記ディジタル放送受信機及びナビゲーション端末機が独立して構成される場合、上記ディジタル放送受信機及びナビゲーション端末機にそれぞれ備えられることが望ましい。
【００２８】
図３は、本発明の実施形態によるディジタル放送受信機及びナビゲーション端末機を含むナビゲーションシステムを示す。図３に示すように、本発明の実施形態によるナビゲーションシステムは、衛星ディジタル放送信号又は地上波ディジタル放送信号を受信することができるディジタル放送受信機１００と使用者が要求する目的地まで経路を案内する情報を提供するナビゲーション端末機２００とを含む。
【００２９】
ナビゲーション端末機２００は、使用者が設定した出発地から目的地までの経路を決定し、上記決定された経路を使用して使用者に経路案内を提供する。例えば、ナビゲーション端末機２００は、有線又は無線網を介してナビゲーション端末機２００に接続された経路計算サーバー（図示せず）との交信を通してナビゲーション端末機２００の現在の位置（例えば、出発地）及び目的地の情報を上記経路計算サーバーへ送信し、上記経路計算サーバーで算出された最適な経路の情報を受信して経路案内情報を提供する。このとき、ナビゲーション端末機２００は、上記最適な経路を直接算出して経路案内情報を提供しても良い。
【００３０】
ディジタル放送受信機１００及びナビゲーション端末機２００は、使用者が要求する目的地までの経路を案内するために無線又は有線でデータを互いに送受信することができ、ディジタル放送受信機１００及びナビゲーション端末機２００は、図４Ａ及び図４Ｂに示すように構成されることができる。
【００３１】
図４Ａ及び図４Ｂは、本発明の実施形態によるディジタル放送受信機及びナビゲーション端末機を含むナビゲーションシステムの構成を示す図である。図４Ａは、ディジタル放送受信機１００及びナビゲーション端末機２００が一体型に構成されたナビゲーションシステム３００を示す。図４Ａに示すように、上記ナビゲーションシステム３００のディジタル放送及び経路案内情報を表示するように１つのディスプレイ装置３１０ａで構成されても良い。
【００３２】
また、図４Ｂに示すように、上記ディジタル放送及び経路案内情報をそれぞれ表示するように別途の２つのディスプレイ装置 １１０ｂ及び２１０ｂで構成されても良い。図４Ｂは、図３に示したナビゲーションシステムのように、ディジタル放送受信機１００及びナビゲーション端末機２００がそれぞれ独立して構成されたナビゲーションシステムを示す。上記ナビゲーションシステムにおいて、ディジタル放送受信機１００及びナビゲーション端末機２００は、着脱可能に結合されることができるように構成されても良い。
【００３３】
図５は、本発明の実施形態によるディジタル放送受信機を示すブロック図である。図５に示すように、ディジタル放送受信機１００は、位置情報が含まれたディジタル放送データを受信し、外部機器（例えば、ナビゲーション端末機）から上記位置情報に対する要請を受信すると、上記位置情報を上記外部機器へ送信する。このために、ディジタル放送受信機１００は、使用者入力部１１０、データ受信部１２０、外部機器インターフェース部１３０、表示部１４０、制御部１５０、及び記憶部１６０を含むことが望ましい。使用者入力部１１０は、使用者操作信号を受信して制御部１５０へ送信する。データ受信部１２０は、位置情報が含まれたディジタル放送データを受信する。上記位置情報については、図２を参照して説明したので省略する。
【００３４】
外部機器インターフェース部１３０は、外部機器（例えば、ナビゲーション端末機）から上記位置情報に対する要請を受信すると、上記位置情報を上記外部機器へ送信する。表示部１４０は、ディジタル放送データに位置情報が含まれていることを知らせる標識を制御部１５０の制御によって上記ディジタル放送データと共に出力する。制御部１５０は、本発明の実施形態によるディジタル放送受信機１００の全般的な動作を制御する。また、制御部１５０は、使用者入力部１１０を通して受信した上記使用者操作信号に応じて、外部機器インターフェース部１３０を制御する。
【００３５】
加えて、記憶部１６０は、上記受信された位置情報を制御部１５０の制御によって記憶する。
【００３６】
図６は、本発明の実施形態によるナビゲーション端末機を示すブロック図である。図６に示すように、ナビゲーション端末機２００は、使用者入力部２１０、現在位置検出部２２０、ディジタルマップデータ記憶部２３０、端末制御部２４０、経路決定部２５０、メモリ２６０、表示部２７０、及び外部機器インターフェース部２８０を含む。使用者入力部２１０は、出発地の入力又はディジタル放送受信機１００が受信したディジタル放送信号に含まれた位置情報を要請するために、各種の機能キー、数字キー、及び特定キーを備えることが望ましく、使用者操作信号を端末制御部２４０へ出力する。使用者入力部２１０は、ディジタル放送信号に含まれた位置情報を要請するための別途のキーを備えても良い。
【００３７】
そして、ディジタル放送受信機１００の使用者入力部１１０を通してナビゲーション端末機２００の使用者入力機能が遂行可能である場合、又は、ディジタル放送受信機１００及びナビゲーション端末機２００が１つの装置に一体型で搭載されている場合、ナビゲーション端末機２００用に別途使用者入力部２１０を備えずに、ディジタル放送受信機１００用の使用者入力部１１０が、ナビゲーション端末機２００の使用者入力機能を遂行するのに使用されても良い。
【００３８】
現在位置検出部２２０は、ＧＰＳ信号を受信するＧＰＳ受信機（図示せず）を内蔵することが望ましく、ＧＰＳ受信機を通して受信されたＧＰＳ信号を用いて出発地を設定するために、ナビゲーション端末機２００の現在の位置を検出することが望ましい。
【００３９】
ディジタルマップデータ記憶部２３０は、ディジタルマップを単位地域別に構成してデータ化したディジタルマップデータを記憶する。上記ディジタルマップデータは、経路決定部２５０が算出した経路をグラフィック情報として出力するのに使用されることが望ましい。
【００４０】
端末制御部２４０は、ナビゲーション端末機２００の全般的な動作を制御する。特に、使用者が使用者入力部２１０を通して上記受信されたディジタル放送信号に含まれた位置情報を要請（例えば、音声入力又はキー入力）すると、端末制御部２４０は、外部機器インターフェース部２８０を通してディジタル放送受信機１００へ上記位置情報の送信を要請する。本発明の実施形態による外部機器インターフェース部２８０は、ディジタル放送受信機１００の外部機器インターフェース部１３０と接続され、ディジタル放送受信機１００とナビゲーション端末機２００を接続する機能を遂行する。
【００４１】
外部機器インターフェース部２８０を通してディジタル放送受信機１００から上記位置情報を受信すると、端末制御部２４０は、上記受信された位置情報を目的地として設定し、位置情報検出部２２０が検出したナビゲーション端末機２００の現在位置を出発地として設定した後、これを経路決定部２５０へ送信する。
【００４２】
端末制御部２４０は、経路決定部２５０が決定した現在の位置から目的地までの経路案内を遂行する。このとき、端末制御部２４０は、スピーカ（図示せず）を通して上記決定された経路を使用して音声経路案内を遂行することもできる。
【００４３】
予め記憶された経路計算アルゴリズムを使用して、経路決定部２５０は、ナビゲーション端末機２００の現在の位置に相当する出発地から、ディジタル放送受信機１００から受信された上記位置情報に相当する目的地までの経路を算出する。
【００４４】
メモリ２６０は、ナビゲーション端末機２００の動作を制御するのに必要な各種情報を記憶する。特に、メモリ２６０は、端末制御部２４０の制御によって、外部機器インターフェース部２８０を通して受信された上記位置情報を記憶する。使用者が経路案内を要請すると、メモリ２６０に記憶された上記位置情報は、端末制御部２４０によって検出された後、経路決定部２５０へ送信される。
【００４５】
上述のとおり、表示部２７０は、ナビゲーション端末機２００で発生された各種の表示データを出力するためにＬＣＤ（Liquid Crystal Display）で構成しても良い。特に、表示部２７０は、経路決定部２５０で決定した経路を端末制御部２４０の制御によって表示する。
【００４６】
このとき、ナビゲーション端末機２００は、ナビゲーション端末機２００の現在の位置とディジタル放送受信機１００から受信された上記位置情報とを外部経路計算サーバー（図示せず）へ送信し、外部経路計算サーバーが計算した経路の情報を受信するための通信モジュールをさらに備えても良い。
【００４７】
図７は、本発明の実施形態によるディジタル放送受信機及びナビゲーション端末機が一体型で構成されたナビゲーションシステムの経路案内過程を示すフローチャートである。上記ナビゲーションシステムは、１つのディスプレイ装置を備えても良く、ディジタル放送受信機１００が受信した位置情報が含まれたディジタル放送データをディスプレイするための表示部１４０とナビゲーション端末機２００で発生する各種の表示データ及び算出された経路をディスプレイするための表示部２７０とを備えても良い。図７では、２個のディスプレイ装置を備えたものと仮定して説明する。
【００４８】
図２乃至図７を参照して説明すると、ステップＳ１１０で、ディジタル放送受信機１００は、ディジタル放送信号を受信し、ステップＳ１１５で、位置情報（すなわち、ＰＯＩ（Point Of Interest）が上記受信されたディジタル放送信号に含まれているか否かを確認する。上記位置情報は、ディジタル放送画面に関連した場所（例えば、ドラマ（Drama）の背景場所や、コマーシャルで宣伝された店の場所）の位置情報であって、上記位置情報は、所定の場所の位置座標及びその位置に対応する名称を含むことが望ましい。このとき、上記位置情報をディジタル放送信号に含ませるためには、多様な方法が使用されることができるが、これについては、図８Ａ及び図８Ｂを参照して説明する。
【００４９】
位置情報が上記受信されたディジタル放送信号に含まれている場合、ステップＳ１２０で、ディジタル放送受信機１００は、上記受信されたディジタル放送信号に位置情報の存在を知らせる標識を出力する。
【００５０】
ディジタル放送受信機１００は、ステップＳ１２５で、上記位置情報に関連した経路案内要請を受信したか否かを検査する。このとき、上記経路案内要請は、ナビゲーション端末機２００で行われても良い。
【００５１】
ステップＳ１３０で、ディジタル放送受信機１００は、上記位置情報の記憶の要請があるか否かを検査し、上記位置情報をナビゲーション端末機１００へ送信する。
【００５２】
ディジタル放送受信機１００は、上記位置情報の記憶の要請があれば、ステップＳ１３５で、上記位置情報を記憶する。ここで、上記記憶された位置情報は、使用者の経路案内の要請がある度に検出されて経路案内に使用されることが望ましい。また、上記位置情報は、ナビゲーション端末機２００に記憶されても良い。
【００５３】
ステップＳ１４０で、ナビゲーション端末機２００は、上記位置情報を目的地として設定する。ステップＳ１４５で、ナビゲーション端末機２００は、ナビゲーション端末機２００の現在の位置を検出して出発地として設定する。このとき、ナビゲーション端末機２００は、使用者からの入力によって出発地の情報を受信し、これを出発地として設定しても良い。
【００５４】
その後、ナビゲーション端末機２００は、ステップＳ１５０で、上記設定された出発地から目的地までの経路を決定する。ステップＳ１５５で、ナビゲーション端末機２００は、上記決定された経路を使用して使用者に経路案内情報を提供する。
【００５５】
また、図７の過程において、ナビゲーションシステム２００は、上記位置情報を用いて経路を決定するステップＳ１５０までのみ遂行した後、使用者の要求に従って後で経路を案内しても良い。
【００５６】
一方、上記位置情報をディジタル放送信号に含ませるためには、多様な方法が使用可能である。これについて簡単に説明すると、下記の通りである。
【００５７】
図８Ａ及び図８Ｂは、位置情報をディジタル放送信号に含ませた第１及び第２の方法を説明するための図である。図８Ａは、ディジタル放送信号のＭＰＥＧ２−ＴＳ（Motion Picture Expert Group 2-Transport Stream）のデータフォーマットを示す。図８Ａに示すように、第１の方法は、ＭＰＥＧ２−ＴＳデータを使用して位置情報を上記ディジタル放送信号に含ませる。上記位置情報は、上記ＭＰＥＧ２−ＴＳデータの未使用の空間（すなわち、スタッフィングデータ（Stuffing Data））の代わりに格納されて伝送されることができる。これは、上記位置情報が小容量の領域を消費するテキストファイル形式であるので可能である。上記ＭＰＥＧ２−ＴＳデータは、通信分野で公知された内容であるので、これに関する詳細な説明を省略する。
【００５８】
次に、ディジタル放送信号に位置情報を含ませる第２の方法を図８Ｂを参照して説明する。図８Ｂは、衛星ＤＭＢ又はＳｙｓｔｅｍ−Ｅ方式におけるディジタル放送信号の制御チャンネルフレームの構造を示す。図８Ｂに示すように、第２の方法は、上記制御チャンネルフレームを使用して位置情報を上記ディジタル放送信号に含ませる。上記位置情報は、各制御チャンネルフレームでいつも空いている領域である５１番目のデータ送信フィールドＤ５１に格納されて伝送されることができる。
【００５９】
上記ディジタル放送チャンネルに位置情報を含ませる他の方法において、上記位置情報は、ディジタル放送チャンネルのうち、周期的に共用するチャンネル（例えば、ＥＰＧチャンネル）に載せられることもできる。
【００６０】
図９は、本発明の実施形態によるナビゲーションシステムにおけるナビゲーション端末機がディジタル放送信号に含まれた位置情報に関連した経路案内要請を行う場合の経路を案内する過程の例を示すフローチャートである。図９のナビゲーションシステム及び図１０を参照して説明するナビゲーションシステムは、それぞれ独立して構成されても良い。又、着脱可能に結合されるように構成されるディジタル放送受信機１００及びナビゲーション端末機２００を含むように構成されても良い。
【００６１】
図９に示すように、ディジタル放送受信機１００は、ステップＳ２１０で、ディジタル放送信号を受信し、ステップＳ２１５で、上記受信されたディジタル放送信号に位置情報が含まれているか否かを確認する。
【００６２】
ディジタル放送受信機１００は、上記検査の結果、上記受信されたディジタル放送信号が位置情報を含んでいた場合、ステップＳ２２０で、これを知らせる標識を出力する。
【００６３】
ナビゲーション端末機２００は、上記位置情報を含むことを知らせる標識を認知した後、使用者が経路案内要請（例えば、音声又はキー入力）をすると、ステップＳ２２５で、ディジタル放送受信機１００に上記位置情報の送信を要請する。ディジタル放送受信機１００は、上記位置情報に関連した経路案内要請を受信すると、ステップＳ２３０で、上記位置情報をナビゲーション端末機２００へ送信する。
【００６４】
ナビゲーション端末機２００は、ディジタル放送受信機１００から上記位置情報を受信すると、ステップＳ２３５で、上記位置情報の記憶の要請があるか否かを検査する。ナビゲーション端末機２００は、上記位置情報の記憶要求（例えば、使用者の操作信号の要求）があれば、ステップＳ２４０で、上記位置情報を記憶した後、ステップＳ２４５で、上記位置情報を目的地として設定する。上記検査の結果、ナビゲーション端末機２００は、ステップＳ２３５で、上記位置情報の記憶要求がなければ、上記位置情報を記憶せず、ステップ２４５で、上記位置情報を目的地として設定する。
【００６５】
次に、ナビゲーション端末機２００は、ステップＳ２５０で、ナビゲーション端末機２００の現在の位置を検出し、上記検出された現在の位置を出発地として設定する。このとき、ナビゲーション端末機２００は、使用者から出発地の情報を受信し、その出発地の情報を出発地として設定することもできる。これは、使用者が、現在の位置ではなく、ある出発地からの経路案内を要請する場合に使用される。
【００６６】
そして、ナビゲーション端末機２００は、ステップＳ２５５で、上記設定された出発地から上記設定された目的地への経路を決定し、ステップＳ２６０で、上記決定された経路を案内する。
【００６７】
図９の過程において、ナビゲーションシステム２００は、図７を参照して説明した通りに、上記位置情報を用いて経路を決定するステップＳ２５５までのみ遂行した後、使用者の要求に従って後で経路を案内することもできる。
【００６８】
図１０は、本発明の実施形態によるナビゲーションシステムにおけるディジタル放送受信機がディジタル放送信号に含まれた位置情報に関連した経路案内を要請する場合の経路を案内する過程の例を示すフローチャートである。
【００６９】
図１０に示すように、ディジタル放送受信機１００は、ステップＳ３１０で、ディジタル放送信号を受信し、ステップＳ３１５で、上記受信されたディジタル放送信号に位置情報が含まれているか否かを確認する。
【００７０】
ディジタル放送受信機１００は、上記検査の結果、ステップＳ３２０で、上記受信されたディジタル放送信号に位置情報が含まれていると、これを知らせる標識を出力する。
【００７１】
すると、ディジタル放送受信機１００は、ステップＳ３２５で、上記位置情報を含むことを知らせる標識を認知した後、使用者の経路案内の要請（例えば、音声又はキー入力）があるか否かを検査する。
【００７２】
ディジタル放送受信機１００は、上記経路案内要請があれば、ステップＳ３３０で、上記位置情報の記憶の要請があるか否かを検査する。
【００７３】
ディジタル放送受信機１００は、ステップＳ３３０で、使用者の操作信号によって上記位置情報の記憶要請があれば、ステップＳ３３５で、上記位置情報を記憶し、上記検査の結果、ステップＳ３３０で、上記位置情報の記憶要請がなければ、ディジタル放送受信機１００は、上記位置情報を記憶せず、ステップＳ３４０で、上記位置情報をナビゲーション端末機２００へ送信する。
【００７４】
ナビゲーション端末機２００は、ディジタル放送受信機１００から上記位置情報を受信すると、ステップＳ３４５で、これを目的地として設定する。
【００７５】
次に、ナビゲーション端末機２００は、ステップＳ３５０で、ナビゲーション端末機２００の現在の位置を検出し、上記検出された現在の位置を出発地として設定する。このとき、ナビゲーション端末機２００は、使用者から出発地の情報を受信し、上記受信された出発地の情報を出発地として設定しても良い。
【００７６】
そして、ナビゲーション端末機２００は、ステップＳ３５５で、上記設定された出発地から目的地への経路を決定し、ステップＳ３６０で、上記決定された経路を案内する。
【００７７】
また、ナビゲーションシステム２００は、図７を参照して説明した通りに、上記位置情報を用いて経路を決定するステップＳ３５５までのみ遂行した後、使用者の要求に従って後で経路を案内しても良い。
【００７８】
本発明の好適な実施形態は、放送画面に関連した位置情報が含まれたディジタル放送信号でその位置情報を用いて多様な位置関連サービスを提供することができる実施形態としてナビゲーションシステムを参照して説明してきたが、このようなディジタル放送受信機と連動するナビゲーションシステムは、１つの例であるだけであり、本発明の思想及び範囲を逸脱することなく、各種の変形が実施されることができる。
【００７９】
例えば、ディジタル放送受信機に接続された端末機が無線インターネットアクセス可能な端末機である場合には、ディジタル放送信号に含まれた位置情報を用いて、該当位置に関するインターネット情報を検索することができるように実現しても良い。
【００８０】
従って、本発明の範囲は、上記実施の形態に限定されるものではなく、特許請求の範囲の記載及び該記載と均等なものにより定められるべきである。
【図面の簡単な説明】
【００８１】
【図１】ディジタル放送サービスを提供するための従来のシステムを示す図である。
【図２】本発明の実施形態によるディジタル放送システムを示すブロック図である。
【図３】本発明の実施形態によるディジタル放送受信機及びナビゲーション端末機を含むナビゲーションシステムを示す図である。
【図４Ａ】本発明の実施形態によるディジタル放送受信機及びナビゲーション端末機を含むナビゲーションシステムの構成を示す図である。
【図４Ｂ】本発明の実施形態によるディジタル放送受信機及びナビゲーション端末機を含むナビゲーションシステムの構成を示す図である。
【図５】本発明の実施形態によるディジタル放送受信機を示すブロック図である。
【図６】本発明の実施形態によるナビゲーション端末機を示すブロック図である。
【図７】本発明の実施形態によるディジタル放送受信機及びナビゲーション端末機が一体型に構成されたナビゲーションシステムの経路案内方法を示すフローチャートである。
【図８Ａ】位置情報をディジタル放送信号に含む方法を示す図である。
【図８Ｂ】位置情報をディジタル放送信号に含む方法を示す図である。
【図９】本発明の実施形態によるナビゲーションシステムにおいてナビゲーション端末機がディジタル放送信号に含まれた位置情報の経路案内を要請する場合の経路を案内する過程の例を示すフローチャートである。
【図１０】本発明の実施形態によるナビゲーションシステムにおいてディジタル放送受信機がディジタル放送信号に含まれた位置情報の経路案内を要請する場合の経路を案内する過程の例を示すフローチャートである。
【符号の説明】
【００８２】
１００  ディジタル放送受信機
１１０  使用者入力部
１２０  データ受信部
１３０  外部機器インターフェース部
１４０  表示部
１６０  記憶部
２００  ナビゲーション端末機
２１０  使用者入力部
２２０  現在位置検出部
２６０  メモリ
２７０  表示部
２８０  外部機器インターフェース部
２５０  経路決定部
１０００  ディジタル放送システム
１１００  使用者入力部
１３００  ディジタル放送信号受信部
１４００  位置情報検出部
１５００  外部機器インターフェース部
１６００  出力部
１７００  記憶部
【図１】
2006050556.tif 000003
【図２】
2006050556.tif 000004
【図３】
2006050556.tif 000005
【図４Ａ】
2006050556.tif 000006
【図４Ｂ】
2006050556.tif 000007
【図５】
2006050556.tif 000008
【図６】
2006050556.tif 000009
【図７】
2006050556.tif 000010
【図８Ａ】
2006050556.tif 000011
【図８Ｂ】
2006050556.tif 000012
【図９】
2006050556.tif 000013
【図１０】
2006050556.tif 000014